(57)【要約】【課題】圧縮機に液冷媒が吸入されることにより圧縮機が壊れる。【解決手段】本発明の液冷却装置は、圧縮機、凝縮器、膨張弁および蒸発器を接続した冷媒回路と、蒸発器が内部に配置された液体を収容するタンクと、タンク内の液体の温度を検出する温度検出手段と、温度検出手段により検出された液温に基づいて圧縮機の周波数と膨張弁の開度を制御する制御手段と、圧縮機の吐出管温度と凝縮器で検知される高圧飽和温度との差が所定温度未満の場合に、温度検出手段により検出された液温をそれより低い補正液温に補正する補正手段とを備える。制御手段は、補正手段における補正が行われた場合、補正液温を液温として膨張弁の開度を制御する。【選択図】図５
2017026170.tif 000002
【特許請求の範囲】
【請求項１】
圧縮機、凝縮器、膨張弁および蒸発器を接続した冷媒回路と、
前記蒸発器が内部に配置された液体を収容するタンクと、
前記タンク内の液体の温度を検出する温度検出手段と、
前記温度検出手段により検出された液温に基づいて前記圧縮機の周波数と前記膨張弁の開度を制御する制御手段と、
前記圧縮機の吐出管温度と前記凝縮器で検知される高圧飽和温度との差が所定温度未満の場合に、前記温度検出手段により検出された液温をそれより低い補正液温に補正する補正手段とを備え、
前記制御手段は、前記補正手段における補正が行われた場合、補正液温を液温として前記膨張弁の開度を制御することを特徴とする液冷却装置。
【請求項２】
前記制御手段は、前記補正手段における補正が行われた場合、補正される前の液温に基づいて制御する場合の前記膨張弁の開度より小さくなるように、前記膨張弁の開度を制御することを特徴とする請求項１に記載の液冷却装置。
【請求項３】
前記制御手段は、前記補正手段における補正が行われた場合、補正される前の液温に基づいて制御する場合の前記圧縮機の周波数と同一の周波数となるように、前記圧縮機の周波数を制御することを特徴とする請求項２に記載の液冷却装置。
【請求項４】
前記制御手段は、前記補正手段における補正が行われた場合、補正される前の液温に基づいて制御する場合の前記圧縮機の周波数より増加するように、前記圧縮機の周波数を制御することを特徴とする請求項２または３に記載の液冷却装置。
【請求項５】
前記補正手段における補正は、前記圧縮機の吐出管温度と前記凝縮器で検知される高圧飽和温度との差が所定温度以上になるまで繰り返されることを特徴とする請求項１−４のいずれかに記載の液冷却装置。
【請求項６】
前記補正手段における補正間隔は、前記圧縮機の吐出管温度と前記凝縮器で検知される高圧飽和温度との差が小さいほど短いことを特徴とする請求項５に記載の液冷却装置。
【発明の詳細な説明】
【技術分野】
【０００１】
本発明は、例えば、液体を冷却する蒸発器を有する液冷却装置に関する。
【背景技術】
【０００２】
液冷却装置としては、例えば研削盤やマシニングセンタなどの工作機械の研削液や主軸潤滑油など（以下「工作液」という）を冷却するものであって、圧縮機、凝縮器、膨張弁および蒸発器を接続した冷媒回路を備え、タンクに溜められた工作液内に浸漬された蒸発器によって工作液を冷却する浸漬型液冷却装置がある。
【先行技術文献】
【特許文献】
【０００３】
【特許文献１】特開２０１２−９３０６７
【発明の概要】
【発明が解決しようとする課題】
【０００４】
従来の浸漬型液冷却装置において、膨張弁開度はタンク内液温と圧縮機周波数の指令に基づいて制御されるのが一般的であり、膨張弁の開度は、そのときのタンク内液温に基づいて、蒸発器において冷媒の略全てが蒸発するように制御される。しかし、タンク内において液体のよどみが発生すると（タンク内の液体の温度が不均一になると）、蒸発器において冷媒の略全てが蒸発されずに、圧縮機に液冷媒が吸入されることにより、圧縮機が壊れる問題がある。
【０００５】
そこで、本発明の目的は、タンク内において液体のよどみが発生した場合でも圧縮機が壊れるのを防止できる液冷却装置を提供することである。
【課題を解決するための手段】
【０００６】
第１の発明にかかる液冷却装置は、圧縮機、凝縮器、膨張弁および蒸発器を接続した冷媒回路と、前記蒸発器が内部に配置された液体を収容するタンクと、前記タンク内の液体の温度を検出する温度検出手段と、前記温度検出手段により検出された液温に基づいて前記圧縮機の周波数と前記膨張弁の開度を制御する制御手段と、前記圧縮機の吐出管温度と前記凝縮器で検知される高圧飽和温度との差が所定温度未満の場合に、前記温度検出手段により検出された液温をそれより低い補正液温に補正する補正手段とを備え、前記制御手段は、前記補正手段における補正が行われた場合、補正液温を液温として前記膨張弁の開度を制御することを特徴とする。
【０００７】
この液冷却装置では、膨張弁の開度が、そのときのタンク内の液温に基づいて、蒸発器において冷媒の略全てが蒸発するように制御されるが、圧縮機の吐出管温度と凝縮器で検知される高圧飽和温度との差が所定温度未満の場合には、タンク内において液体のよどみが発生したと判断し、膨張弁の開度が、そのときのタンク内の液温より低い補正液温に基づく開度に変更される。したがって、タンク内において液体のよどみが発生した場合でも、蒸発器に供給される冷媒量が適正となり、蒸発器において冷媒の略全てが蒸発されることから、圧縮機が壊れるのを防止できる。
【０００８】
第２の発明にかかる液冷却装置は、第１の発明において、前記制御手段は、前記補正手段における補正が行われた場合、補正される前の液温に基づいて制御する場合の前記膨張弁の開度より小さくなるように、前記膨張弁の開度を制御することを特徴とする。
【０００９】
この液冷却装置では、タンク内において液体のよどみが発生した場合に、膨張弁の開度が、そのときのタンク内の液温に対応した開度より小さく変更されることから、蒸発器に供給される冷媒量が減少する。したがって、タンク内において液体のよどみが発生した場合でも、蒸発器において冷媒の略全てが蒸発されるようになり、圧縮機が壊れるのを防止できる。
【００１０】
第３の発明にかかる液冷却装置は、第２の発明において、前記制御手段は、前記補正手段における補正が行われた場合、補正される前の液温に基づいて制御する場合の前記圧縮機の周波数と同一の周波数となるように、前記圧縮機の周波数を制御することを特徴とする。
【００１１】
この液冷却装置では、タンク内において液体のよどみが発生した場合に、膨張弁の開度が、そのときのタンク内の液温に対応した開度より小さく変更されるときに、圧縮機の周波数が変更されないことから、蒸発器において冷媒の略全てが蒸発されるように制御しやすい。
【００１２】
第４の発明にかかる液冷却装置は、第２または第３の発明において、前記制御手段は、前記補正手段における補正が行われた場合、補正される前の液温に基づいて制御する場合の前記圧縮機の周波数より増加するように、前記圧縮機の周波数を制御することを特徴とする。
【００１３】
この液冷却装置では、タンク内において液体のよどみが発生した場合に、膨張弁の開度が、そのときのタンク内の液温に対応した開度より小さく変更された後、圧縮機の周波数が増加するように変更されることから、液冷却装置の能力を低下させずに、蒸発器において冷媒の略全てが蒸発されるように制御できる。
【００１４】
第５の発明にかかる液冷却装置は、第１−第４の発明のいずれかにおいて、前記補正手段における補正は、前記圧縮機の吐出管温度と前記凝縮器で検知される高圧飽和温度との差が所定温度以上になるまで繰り返されることを特徴とする。
【００１５】
この液冷却装置では、蒸発器において冷媒が適切に蒸発されるまで、タンク内の液温の補正が繰り返されることから、タンク内において液体のよどみが発生することにより、圧縮機が壊れるのを防止できる。
【００１６】
第６の発明にかかる液冷却装置は、第５の発明において、前記補正手段における補正間隔は、前記圧縮機の吐出管温度と前記凝縮器で検知される高圧飽和温度との差が小さいほど短いことを特徴とする。
【００１７】
この液冷却装置では、圧縮機の吐出管温度と凝縮器で検知される高圧飽和温度との差が小さいほど、タンク内において液体のよどみが大きいことから、タンク内の液温の補正が短い間隔で行われる。
【発明の効果】
【００１８】
以上の説明に述べたように、本発明によれば、以下の効果が得られる。
【００１９】
第１の発明では、膨張弁の開度が、そのときのタンク内の液温に基づいて、蒸発器において冷媒の略全てが蒸発するように制御されるが、圧縮機の吐出管温度と凝縮器で検知される高圧飽和温度との差が所定温度未満の場合には、タンク内において液体のよどみが発生したと判断し、膨張弁の開度が、そのときのタンク内の液温より低い補正液温に基づく開度に変更される。したがって、タンク内において液体のよどみが発生した場合でも、蒸発器に供給される冷媒量が適正となり、蒸発器において冷媒の略全てが蒸発されることから、圧縮機が壊れるのを防止できる。
【００２０】
第２の発明では、タンク内において液体のよどみが発生した場合に、膨張弁の開度が、そのときのタンク内の液温に対応した開度より小さく変更されることから、蒸発器に供給される冷媒量が減少する。したがって、タンク内において液体のよどみが発生した場合でも、蒸発器において冷媒の略全てが蒸発されるようになり、圧縮機が壊れるのを防止できる。
【００２１】
第３の発明では、タンク内において液体のよどみが発生した場合に、膨張弁の開度が、そのときのタンク内の液温に対応した開度より小さく変更されるときに、圧縮機の周波数が変更されないことから、蒸発器において冷媒の略全てが蒸発されるように制御しやすい。
【００２２】
第４の発明では、タンク内において液体のよどみが発生した場合に、膨張弁の開度が、そのときのタンク内の液温に対応した開度より小さく変更された後、圧縮機の周波数が増加するように変更されることから、液冷却装置の能力を低下させずに、蒸発器において冷媒の略全てが蒸発されるように制御できる。
【００２３】
第５の発明では、蒸発器において冷媒が適切に蒸発されるまで、タンク内の液温の補正が繰り返されることから、タンク内において液体のよどみが発生することにより、圧縮機が壊れるのを防止できる。
【００２４】
第６の発明では、圧縮機の吐出管温度と凝縮器で検知される高圧飽和温度との差が小さいほど、タンク内において液体のよどみが大きいことから、タンク内の液温の補正が短い間隔で行われる。
【図面の簡単な説明】
【００２５】
【図１】本発明の第１実施形態にかかる液冷却装置の構成図である。
【図２】図１の液冷却装置の制御ブロック図である。
【図３】圧縮機周波数と膨張弁の開度との関係を示す図である。
【図４】図１の液冷却装置における制御方法を説明する図である。
【図５】図１の液冷却装置における制御の例を説明する図である。
【発明を実施するための形態】
【００２６】
以下、図面を参照しつつ本発明にかかる液冷却装置の実施の形態について説明する。
【００２７】
本実施形態の液冷却装置１（浸漬型液冷却装置）は、図１に示すように、圧縮機２、凝縮器３、膨張弁４および蒸発器５が接続された冷媒回路を有している。この冷媒回路では、圧縮機２の吐出口に凝縮器３が接続され、その凝縮器３に膨張弁４が接続される。そして、膨張弁４に蒸発器５の一端が接続され、その蒸発器５の他端にアキュムレータ６を介して圧縮機２の吸入口が接続される。このように、圧縮機２から吐出された冷媒が凝縮器３、膨張弁４、蒸発器５へと順に流れ、アキュムレータ６を介して圧縮機２に戻る冷却サイクルが形成される。
【００２８】
この液冷却装置１は、圧縮機２、凝縮器３および膨張弁４を収容する装置本体８を有しており、蒸発器５が、装置本体８よりも下方に配置されるとともに、蒸発器５がタンクＴ内に溜められた工作液（液体）に浸漬される。その他、装置本体８内には、凝縮器３に対して空気流を供給する送風ファン７と、制御部１２などが配置される。
【００２９】
したがって、この液冷却装置１では、タンクＴ内において工作液が冷却される。タンクＴには、例えば工作液搬送用のポンプが設けられており、図１に示すように、このポンプが駆動されることによって、工作機械から排出された工作液がタンクＴ内に供給され、タンクＴ内で冷却された工作液が工作機械に供給される。
【００３０】
蒸発器５は、タンクＴ内に溜められた工作液に浸漬され、上下方向に沿って螺旋状に巻回されたコイル部として構成される。
【００３１】
この液冷却装置１では、図１に示すように、タンクＴ内には、蒸発器５の周辺部の液温（工作液の温度）を検出する液温サーミスタＴａが配置される。圧縮機２の吐出管には、吐出管サーミスタＴｂが配置され、凝縮器３には、凝縮温度サーミスタＴｃが配置される。
【００３２】
この液冷却装置１の制御部１２は、目標温度記憶部１０１と、圧縮機制御部１０２と、判断部１０３と、補正部１０４と、液温記憶部１０５と、膨張弁制御部１０６とを有している。また、制御部１２には、コントローラと、液温サーミスタＴａと、吐出管サーミスタＴｂと、凝縮器サーミスタＴｃと、圧縮機２と、膨張弁４とが接続されている。
【００３３】
目標温度記憶部１０１は、ユーザがコントローラを操作することによりタンク内の液体の目標温度を入力した場合に、その目標温度を記憶する。
【００３４】
圧縮機制御部１０２は、液温サーミスタＴａで検出された液温と、目標温度記憶部１０１に記憶された目標温度とに基づいて能力指令値を決定し、圧縮機を能力指令値に対応した周波数に制御する。
【００３５】
本実施形態では、タンク内において液体のよどみが発生していると判断されない場合、圧縮機制御部１０２は、液温サーミスタＴａで検出された液温に基づいて、圧縮機２の周波数を制御する。これに対し、タンク内において液体のよどみが発生していると判断された場合、圧縮機制御部１０２は、液温サーミスタＴａで検出された液温に基づいて、圧縮機２の周波数を制御するが、補正液温に基づいて膨張弁の開度が小さく制御される場合、圧縮機２の周波数を変更しないで維持する。また、タンク内において液体のよどみが無くなるまで膨張弁４の開度が小さく制御されると、圧縮機の周波数を、タンク内においてよどみが発生したとして膨張弁４の開度の補正が開始される前の液冷却装置の能力と略同一の能力が出力される周波数になるまで増加させる。
【００３６】
判断部１０３は、吐出管サーミスタＴｂで検出される吐出温度と、凝縮器サーミスタＴｃで検出される冷媒高圧飽和温度とに基づいて、タンク内において液体のよどみが発生しているかを判断する。本実施形態では、判断部１０３は、吐出管サーミスタＴｂで検出される吐出温度と、凝縮器サーミスタＴｃで検出される冷媒高圧飽和温度との温度差が第１所定温度（例：１０℃）より小さい場合に、タンク内において液体のよどみが発生していると判断する。判断部１０３において、タンク内において液体のよどみが発生しているかの判断は、吐出温度と冷媒高圧飽和温度との温度差が第１所定温度以上になり、タンク内においてよどみが無くなるまで繰り返される。
【００３７】
判断部１０３は、膨張弁４の開度が補正液温に基づいて制御された後、第１期間（例：１秒）または第２期間（例：１０秒）が経過する度に、タンク内において液体のよどみが発生しているかを判断する。判断部１０３において、吐出温度と冷媒高圧飽和温度との温度差が第２所定温度より小さい場合と第２所定温度以上である場合とで判断間隔が異なる。即ち、吐出温度と冷媒高圧飽和温度との温度差が第２所定温度より小さい場合、タンク内での液体のよどみが大きいことから、膨張弁４の開度を短い間隔で小さく補正することにより、タンク内での液体がよどんでいても蒸発器において冷媒が適切に蒸発するようにする。これに対し、吐出温度と冷媒高圧飽和温度との温度差が第２所定温度以上である場合、タンク内での液体のよどみが小さいことから、膨張弁４の開度を長い間隔で小さく補正することにより、タンク内での液体がよどんでいても蒸発器において冷媒が適切に蒸発するようにする。このように、吐出温度と冷媒高圧飽和温度との温度差が第２所定温度より小さい場合と第２所定温度以上である場合とで膨張弁４の開度の補正間隔が異なる。
【００３８】
したがって、本実施形態において、第２所定温度は、第１所定温度である１０℃より低い温度であり、吐出温度と冷媒高圧飽和温度との温度差が第２所定温度より小さい場合、膨張弁の開度が補正液温に基づいて制御された後、第１期間が経過したときに再度判断する。これに対し、吐出温度と冷媒高圧飽和温度との温度差が第２所定温度以上である場合、膨張弁の開度が補正液温に基づいて制御された後、第２期間が経過したときに再度判断する。本実施形態では、第１期間は第２期間より短いことから、吐出温度と冷媒高圧飽和温度との温度差が小さい場合の補正間隔は温度差が大きい場合の補正間隔より短い。
【００３９】
補正部１０４は、判断部１０３において、タンク内において液体のよどみが発生していると判断された場合に、液温サーミスタＴａで検出された液温を補正する。本実施形態では、補正部１０４は、液温サーミスタＴａで検出された液温より所定補正温度（例：０．１℃）だけ低い温度に補正する。
【００４０】
液温記憶部１０５は、膨張弁制御部１０６において膨張弁４を制御するときに使用される液温を記憶する。本実施形態では、判断部１０３において、タンク内において液体のよどみが発生していると判断されてない場合、液温記憶部１０５は、液温として液温サーミスタＴａで検出された液温を記憶する。これに対し、判断部１０３において、タンク内において液体のよどみが発生していると判断された場合、液温記憶部１０５は、液温として、補正部１０４において補正された補正液温を記憶する。
【００４１】
膨張弁制御部１０６は、液温記憶部１０５に記憶された液温と、圧縮機制御部１０２において検知された能力指令値に対応した圧縮機の周波数とに基づいて、膨張弁４の開度を制御する。したがって、膨張弁制御部１０６には、図３に示すように、タンク内の液温ごとに、圧縮機周波数と膨張弁開度との関係が記憶されており、それに基づいて膨張弁開度が制御される。
【００４２】
図３において、横軸が圧縮機周波数であり、縦軸が膨張弁開度を示している。図３では、液温が０℃、１０℃、２０℃、３０℃、４０℃、５０℃の場合において、蒸発器５に供給された冷媒がタンク内の液体と熱交換することにより、その冷媒の略全てが蒸発するときの圧縮機周波数と膨張弁開度との関係が図示されている。図３に示すように、圧縮機周波数が大きくなるにつれて膨張弁開度が大きくなり、液温が高くなるにつれて膨張弁開度が大きくなることが分かる。
【００４３】
本実施形態の液冷却装置１における制御方法について、図４に基づいて説明する。
【００４４】
まず、ユーザがコントローラを操作することによりタンク内の液体の目標温度を入力する（ステップＳ１）。すると、液温サーミスタＴａで検出された液温とユーザにより入力された目標温度とに基づく能力指令値に対応した圧縮機の周波数にしたがって圧縮機を制御し（ステップＳ２）、液温サーミスタＴａで検出された液温と能力指令値に対応した圧縮機の周波数に基づいて膨張弁の開度を制御する（ステップＳ３）。即ち、図３に示すように、液温サーミスタＴａで検出された液温に対応した関係において能力指令値に対応した圧縮機の周波数に対応した膨張弁開度に制御される。
【００４５】
その後、吐出管サーミスタＴｂで検出される吐出温度と、凝縮器温度サーミスタＴｃで検出される冷媒高圧飽和温度とに基づいてタンク内において液体のよどみが発生しているか（吐出温度と冷媒高圧飽和温度との温度差が第１所定温度より小さいか）を繰り返し判断する（ステップＳ４）。吐出温度と冷媒高圧飽和温度との温度差が第１所定温度より小さい場合（Ｓ４：ＹＥＳ）、タンク内において液体のよどみが発生しているとして、液温記憶部１０５に記憶された液温をそれより低い補正温度に補正し、その補正液温を液温記憶部１０５に液温として記憶する（ステップＳ５）。その後、液温記憶部１０５に液温として記憶された補正液温に基づいて、膨張弁の開度を制御する（ステップＳ６）。
【００４６】
その後、吐出温度と冷媒高圧飽和温度との温度差が第２所定温度より小さいかが判断される（ステップＳ７）。吐出温度と冷媒高圧飽和温度との温度差が第２所定温度より小さいと判断された場合（Ｓ７：ＹＥＳ）、ステップＳ４において、タンク内において液体のよどみが発生していると判断された後、第１期間が経過したかが繰り返し判断される（ステップＳ８）。第１期間が経過した場合（Ｓ７：ＹＥＳ）、ステップＳ４に移行して、同様の処理を繰り返す。
【００４７】
これに対し、ステップＳ７において、吐出温度と冷媒高圧飽和温度との温度差が第２所定温度より小さいと判断されない場合（Ｓ７：ＮＯ）、ステップＳ４において、タンク内において液体のよどみが発生していると判断された後、第２期間が経過したかが繰り返し判断される（ステップＳ９）。第２期間が経過した場合（Ｓ９：ＹＥＳ）、ステップＳ４に移行して、同様の処理を繰り返す。
【００４８】
ステップＳ４において、吐出温度と冷媒高圧飽和温度との温度差が第１所定温度より小さいと判断されない場合（Ｓ４：ＮＯ）、蒸発器において冷媒が適切に蒸発されていることから、液温記憶部１０５に記憶された液温を補正しないで、ステップＳ１０に移行する。
【００４９】
ステップＳ１０において、タンク内において液体のよどみが発生したとして、膨張弁の開度が補正されたかが判断される（ステップＳ１０）。ステップＳ１０において、膨張弁の開度が補正されたと判断された場合（Ｓ１０：ＹＥＳ）、そのときの液温と目標温度の関係に基づいて圧縮機の周波数を増加させる（ステップＳ１１）。このとき、膨張弁の開度は、圧縮機の周波数が増加されるのにともなって、そのときの補正液温に基づいて変更される。したがって、タンク内において液体のよどみが発生したことにより、膨張弁の開度が小さく変更されるが、液冷却装置の能力は、タンク内において液体のよどみが発生する前と略同一に維持される。その後、ステップ４に移行して、同様の処理を繰り返す。
【００５０】
これに対し、ステップＳ１０において、膨張弁の開度が補正されたと判断されない場合（Ｓ１０：ＮＯ）、ステップ４に移行して、同様の処理を繰り返す。なお、ステップＳ１０において、タンク内において液体のよどみが発生したとして膨張弁の開度が補正されたと判断されるのは、膨張弁の開度が補正された後であり、且つ、ステップＳ１１において圧縮機の周波数を増加させる前の状態である。したがって、ステップＳ１１において圧縮機の周波数を増加させる制御が行われた場合、タンク内において液体のよどみが発生したとして膨張弁の開度が補正されたことがリセットされる。
【００５１】
本実施形態の液冷却装置１における制御の例について、図５に基づいて説明する。
【００５２】
現在、図５の状態Ａ１（液温Ｔ１、開度ａ１、周波数ｃ１）である場合において、タンク内において液体のよどみが発生したとき、現在液温Ｔ１が所定補正温度だけ低い補正液温Ｔ２に補正され、現在周波数ｃ１が維持された状態で、膨張弁の現在開度ａ１が補正開度ａ２に変更される。
【００５３】
図５の状態Ａ２（液温Ｔ２、開度ａ２、周波数ｃ１）に変更された後、タンク内において液体のよどみにより蒸発器において冷媒が適切に蒸発されていないと判断されるとき、補正液温Ｔ２が所定補正温度だけ低い補正液温Ｔ３に補正され、現在周波数ｃ１が維持された状態で、膨張弁の現在開度ａ２が補正開度ａ３に変更される。
【００５４】
図５の状態Ａ３（液温Ｔ３、開度ａ３、周波数ｃ１）に変更された後、蒸発器において冷媒が適切に蒸発されたとき、圧縮機の周波数が液温と目標温度との関係に基づき変更、また、膨張弁の開度が、補正液温Ｔ３における圧縮機周波数と膨張弁の開度の関係にしたがって変更され、図５の状態Ａ４（液温Ｔ３、周波数ｃ２）となる。
【００５５】
図５に示すように、図５の状態Ａ１（液温Ｔ１、開度ａ１、周波数ｃ１）と、図５の状態Ａ４（液温Ｔ３、開度ａ３、周波数ｃ１）とは、液冷却装置１の等能力線上にあり、略同一能力である。
【００５６】
＜本実施形態の液冷却装置の特徴＞
本実施形態の液冷却装置１には、以下の特徴がある。
【００５７】
本実施形態の液冷却装置１では、膨張弁４の開度が、そのときのタンクＴ内の液温に基づいて、蒸発器５において冷媒の略全てが蒸発するように制御されるが、圧縮機２の吐出管温度と凝縮器３で検知される高圧飽和温度との温度差が第１所定温度未満の場合には、タンクＴ内において液体のよどみが発生したと判断し、膨張弁４の開度が、そのときのタンクＴ内の液温より低い補正液温に基づく開度に変更される。したがって、タンクＴ内において液体のよどみが発生した場合でも、蒸発器５に供給される冷媒量が適正となり、蒸発器５において冷媒の略全てが蒸発されることから、圧縮機２に液冷媒が吸入されることにより、圧縮機２が壊れるのを防止できる。
【００５８】
本実施形態の液冷却装置１では、タンクＴ内において液体のよどみが発生した場合に、膨張弁４の開度が、そのときのタンクＴ内の液温に対応した開度より小さく変更されることから、蒸発器５に供給される冷媒量が減少する。したがって、タンクＴ内において液体のよどみが発生した場合でも、蒸発器５において冷媒の略全てが蒸発されるようになり、圧縮機２に液冷媒が吸入されることにより、圧縮機２が壊れるのを防止できる。
【００５９】
本実施形態の液冷却装置１では、タンクＴ内において液体のよどみが発生した場合に、膨張弁４の開度が、そのときのタンクＴ内の液温に対応した開度より小さく変更された後、圧縮機２の周波数が増加するように変更されることから、液冷却装置の能力を低下させずに、蒸発器５において冷媒の略全てが蒸発されるように制御できる。
【００６０】
本実施形態の液冷却装置１では、タンクＴ内において液体のよどみが発生しない状態となるまで、タンクＴ内の液温の補正が繰り返されることから、タンクＴ内において液体のよどみが発生することにより、圧縮機が壊れるのを防止できる。
【００６１】
本実施形態の液冷却装置１では、圧縮機２の吐出管温度と凝縮器３で検知される高圧飽和温度との差が小さいほど、タンクＴ内において液体のよどみが大きいことから、タンクＴ内の液温の補正が短い間隔で行われる。
【００６２】
従来の液冷却装置では、タンク内において液体のよどみが発生した場合と同様に、タンク内に配置される蒸発器の表面に汚れが堆積した場合も、蒸発器において冷媒の略全てが蒸発されなくなり、圧縮機に液冷媒が吸入されることにより、圧縮機が壊れる技術課題があるが、本実施形態の液冷却装置１では、タンク内に配置される蒸発器の表面に汚れが堆積した場合も、圧縮機が壊れるのを防止できる。
【００６３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００６４】
上述の実施形態では、タンク内において液体のよどみが発生した場合に、圧縮機の周波数が維持された状態で膨張弁の開度が小さく変更される場合を説明したが、膨張弁の開度が小さく変更されると同時に、圧縮機の周波数が増加されてよい。
【００６５】
上述の実施形態では、タンク内において液体のよどみが発生した場合に、圧縮機の周波数が維持された状態で膨張弁の開度が小さく変更された後、圧縮機の周波数が増加される場合を説明したが、膨張弁の開度が小さく変更された後、圧縮機の周波数が増加されなくてよい。
【００６６】
上述の実施形態では、膨張弁の開度の補正間隔が吐出温度と高圧飽和温度との温度差に基づいて異なる場合を説明したが、膨張弁の開度の補正間隔は吐出温度と高圧飽和温度との温度差にかかわらず同一であってよい。
【産業上の利用可能性】
【００６７】
本発明を利用すれば、圧縮機に液冷媒が吸入されることにより、圧縮機が壊れるのを防止できる。
【符号の説明】
【００６８】
１  液冷却装置
２  圧縮機
３  凝縮器
４  膨張弁
５  蒸発器
１２  制御部（制御手段）
１０４  補正部（補正手段）
Ｔ  タンク
Ｔａ  液温サーミスタ（温度検出手段）
【図１】
2017026170.tif 000003
【図２】
2017026170.tif 000004
【図３】
2017026170.tif 000005
【図４】
2017026170.tif 000006
【図５】
2017026170.tif 000007